【事件の表示】
　平成　１年特許願第　３３６４１号「印刷システム」拒絶査定に対する審判事件［平成　１年１２月２１日出願公開、特開平　１−３１６２７０］について、次のとおり審決する。
【結　論】
　本件審判の請求は、成り立たない。
【理　由】
１．手続きの経緯・本願発明
　本願は、平成1年2月15日（優先権主張　昭和63年3月15日）の出願であって、その請求項１及び請求項２に係る発明は、平成10年7月16日付け及び平成11年4月19日付けの手続き補正書により補正された明細書及び出願当初の図面の記載からみて、特許請求の範囲の請求項１及び請求項２に記載された次のとおりのものである。以下、それぞれ「本願発明１」、「本願発明２」という。
（１）刷版の絵柄面積率を測定する絵柄面積率測定装置と、刷版が装着される版ローラ、刷版の絵柄部分にインクを供給するインク元ローラ、およびインク元ローラの長手方向に区分される各インク帯域のインク供給量を調整するインク供給量調整装置とを備える印刷機と、絵柄面積率測定装置の測定結果に基づいて印刷機のインク供給量調整装置を制御する制御装置とを有してなる印刷システムにおいて、絵柄面積率測定に必要な刷版に関する測定関連情報が該刷版に付されるべき識別マークとともに予め記録される記憶装置を備え、絵柄面積率測定装置は、刷版に付されている識別マークを読取り、この読取り識別マークに対応する測定関連情報を上記記憶装置から呼出し、これによって呼出された測定関連情報に基づいて該刷版の絵柄面積率を測定するとともに、測定した刷版の絵柄面積率を該刷版に付された識別マークとともに記憶装置に記録し、印刷機は版ローラに装着される刷版の識別マークを読取るマーク読取装置を備え、制御装置は印刷機のマーク読取装置が読取った刷版の上記識別マークに基づいて該識別マークに対応する刷版の絵柄面積率を記憶装置から読取り、その読取り結果に基づいて印刷機のインク供給量調整装置を制御することを特徴とする印刷システム。
（２）原画フィルムの画像を焼付けられた刷版を処理する刷版処理装置と、刷版処理装置にて処理された刷版の絵柄面積率を測定する絵柄面積率測定装置と、刷版が装着される版ローラ、刷版の絵柄部分にインクを供給するインク元ローラ、およびインク元ローラの長手方向に区分される各インク帯域のインク供給量を調整するインク供給量調整装置とを備える印刷機と、絵柄面積率測定装置の測定結果に基づいて印刷機のインク供給量調整装置を制御する制御装置とを有してなる印刷システムにおいて、刷版処理装置にて処理された刷版を搬送装置にて刷版処理装置から絵柄面積率測定装置に自動搬送し、絵柄面積率測定装置は刷版に付されている識別マークを読取るとともに、刷版の絵柄面積率を測定し、測定した刷版の絵柄面積率を該刷版に付された識別マークとともに記憶装置に記録し、印刷機は版ローラに装着される刷版の識別マークを読取るマーク読取装置を備え、制御装置は印刷機のマーク読取装置が読取った刷版の上記識別マークに基づいて該識別マークに対応する刷版の絵柄面積率を記憶装置から読取り、その読取り結果に基づいて印刷機のインク供給量調整装置を制御することを特徴とする印刷システム。
　
２．原査定の拒絶の理由に引用された刊行物記載の発明
（１）刊行物１記載の発明（特開昭58-224753号公報）
ａ．本発明は、刷版から求められた絵柄面積率データに基づいて印刷部のインキ量を自動的に設定する印刷システムに関するものである。（公報第1頁右下欄第2行〜4行）
ｂ．従来のインキングプリセットシステムは、絵柄面積率測定装置により、予め版胴に装着される前の刷版から絵柄面積率を求め、その測定データを磁気カードやカセットテープ等に記録させ、この磁気カード等を刷版とともに指定の印刷機へ持ち運び、各印刷機において、磁気カード等に記録された測定データを読み取り、その読み取った測定データに基づきインキキーの開度を自動的に設定するものである。ところが、このような従来のシステムの場合、刷版から絵柄面積率を測定する時点において、その刷版が取付けられる印刷機のインキキーの幅を指定し、その指定した幅単位の絵柄面積率を測定するようにしているため（公報第1頁右下欄第9行〜第2頁2行）
ｃ．そのため、本発明では、刷版の絵柄面積率を一定幅単位で測定し、その測定した一定幅単位の絵柄面積率データを刷版毎に集計記録する絵柄面積率測定装置と、印刷部の複数のインキキーの開度を調整する制御部とを伝送ラインを介して互いに接続し、制御部において、絵柄面積率測定装置に対して指定した刷版の絵柄面積率データの伝送を指令し、その指令に従って絵柄面積率測定装置から伝送されてくる一定幅単位の絵柄面積率データを受信した後、印刷部のインキキーの幅単位の絵柄面積率データに変換し、その変換したデータに基づいて印刷部のインキキーの開度を設定する（公報第2頁左上欄下から5行〜右上欄第7行）
ｄ．各印刷装置2１〜2８は、第3図に示す如く、・・・回転駆動されるインキ出しローラ3の周面にインキつぼ4が構成され、そのインキつぼ4に溜められたインキがインキ出しローラ3の周面に付着された状態で導き出されるようになっている。インキ出しローラ3の周面に付着された状態で導き出されたインキは、揺動アーム5の先端に設けられたインキ移しローラ6を介して練りローラ7へ移される。練りローラ7に対しては、着けローラ8、刷版51を装着する版胴9および印刷物Wと接するゴム胴10が順次摺接しながら回転するように配列されている。（公報第2頁右下欄第6行〜下から3行）
ｅ．また、前記各インキつぼ4は、第4図および第5図に示す如く、前記インキ出しローラ3の長手方向に沿って、傾斜状の複数のインキキー11１〜11nが並設されている。各インキキー11１〜11nは、上端を支点として下端がインキ出しローラ3の周面に対して接離可能に構成され、かつその間隙12の開度がインキ量調整装置13１〜13nによってそれぞれ調整されるようになっている。（公報第3頁左上欄第10行〜17行）
ｆ．同様にして、少なくとも１台分の印刷機P１〜Pnの印刷装置2１〜2８に装着される全ての刷版51について測定を行うと、メモリ33には、それぞれの刷版51毎に、一定幅単位の絵柄面積率データが集計記憶された状態となる。・・・そこで、絵柄面積率測定装置31によって測定が終了した印刷機1台分の刷版51をその印刷機の印刷装置2１〜2ｎへ運び、それらの刷版51を版胴9の外周にセットした後、印刷部1における各印刷装置2１〜2８のインキ量をプリセットする。・・・印刷機Ｐ１の印刷装置2１〜2８におけるインキ量をプリセットするには、その印刷機Ｐ１の制御部21において、入力装置24から・・・版コードをそれぞれ入力した後、伝送指令を与える。すると、印刷機Ｐ１の制御部２1のCPU22は絵柄面積率測定装置31に対して、入力装置24から入力された版コードを送信する。これにより絵柄面積率測定装置31においては、CPU32がメモリ33の中から受信した版コードに該当する絵柄面積率データを読み出し、それを・・・・印刷機Ｐ１の制御部21へ送信する。・・・ここで、印刷機Ｐ１の制御部21において、入力装置24から印刷機Ｐ１におけるインキキー11１〜11nの幅データ例えば30mmを入力すると、CPU22は、・・・例えば1mm幅単位の絵柄面積率データを読み出し、それを30mm幅単位の絵柄面積率データに変換した後、その各幅の絵柄面積率データに従ってインキ量調整装置13１〜13nを作動させる。（公報第3頁右下欄第3行〜公報第4頁右上欄第2行）
　以上の記載をまとめると刊行物１には次のような技術事項が記載されている。
　全体システムに関して「刷版の絵柄面積率を一定幅単位で測定し、その測定した一定幅単位の絵柄面積率データを刷版毎に集計記録する絵柄面積率測定装置31と、印刷部の複数のインキキー11１〜11nの開度を調整する制御部21とを伝送ラインを介して互いに接続し、制御部21において、絵柄面積率測定装置31に対して指定した刷版の絵柄面積率データの伝送を指令し、その指令に従って絵柄面積率測定装置31から伝送されてくる一定幅単位の絵柄面積率データを受信した後、印刷部のインキキー11１〜11nの幅単位の絵柄面積率データに変換し、その変換した絵柄面積率データに基づいて印刷部のインキキー11１〜11nの開度を設定する印刷システム」
　印刷機に関して「刷版が装着される版胴9、刷版の絵柄部分にインクを供給するインキ出しローラ3、およびインキ出しローラの長手方向に区分される各インク帯城のインク供給量を調整するインキ量調整装置13１〜13nとを備える」
　従来技術として、「絵柄面積率測定装置にインキキー幅を指定し、それに基づいて絵柄面積率を測定し、その測定結果に基づいて印刷機のインク供給量を自動的に設定するインキングプリセットシステム」
　
（２）刊行物２記載の発明（特開昭59-65206号公報）
ａ．この際、刷版Wの前端縁がセンサ30の位置を通過するとき、刷版Wのバーコード7がセンサ30によって読み取られ、そのコードデータが演算処理装置44へ与えられる。（公報第5頁右上欄下から2行〜左下欄第2行）
ｂ．ここで、演算処理装置44のCPU46は、光電変換器34から与えられるデータを、刷版Wの搬送方向に対する直交方向への走査が例えばキーボード50によって設定されたインキキー1個分の幅行なわれる毎に、RAM48の所定の記憶エリアへ順次集計させる。このようにして刷版Wの全印刷面4が光学的に走査されると、RAM48にはインキキーの幅単位ごとの絵柄面積率が記憶された状態となる。このとき、1枚の刷版Wについての絵柄面積率データは、前記センサ30によって読み取られたコードデータごとに分類集計されている。そして、RAM48内に記憶された絵柄面積率データは、キーボード50からの指令により出力装置49を介して出力される。（公報第5頁左下欄下から7行〜右下欄第8行）
ｃ．更に、刷版Wに、印刷機番号、色、製品番号等を表わすバーコード7を設け、これをセンサ30で読み取るようにしたので、測定作業に当って、作業者がその都度これらのデータを例えばキーボード等から入力させる必要がない。（公報第6頁右上欄第11行〜15行）
ｄ．また、バーコード7に表わされるデータとしては、絵柄面積率からインキキー開度を設定するために必要とされる各種情報を対象とするもので、上記実施例以外に例えばインキキーの幅データ等であってもよい。（公報第6頁左下欄下から3行〜右下欄第2行）
　以上の記載をまとめると刊行物２には次のような技術事項が記載されている。
「絵柄面積率測定装置は、刷版に付されているバーコードを読取り、この読取り識別マークに対応するインキキーの幅データに基づいて刷版の絵柄面積率を測定するとともに、測定した刷版の絵柄面積率を読み取られたコードデータごとに記憶装置に記録し、記録された絵柄面積率をキーボードで刷版を指定することによって外部へ出力する」
　
（３）刊行物３記載の発明（特開昭56-24508号公報）
ａ．一方、印刷版20を搬送する搬送装置30は第4図に示すように、回転駆動されるローラ31〜33と、これらローラ31〜33に巻回された複数本のベルト34（又は一条の多孔質のベルト）と、このベルト34上に置かれた印刷版20を下方から密着固定させるための吸引装置35と、走査検出中に印刷版20が移動しないようにするためのゴム等の弾性材で成る押圧ローラ36及び37とで構成されている。（公報第3頁左上欄第13行〜末行）
ｂ．電源スイッチをオン（ステップs1）にすると蛍光灯11及び12が点灯し、印刷機番や例えば、ブランケット対ブランケット方式の印刷機における場合の表刷り、裏刷りの別等をキーボード47から入力（ステップs2）する。これらのデータによってROM45に記憶設定されているプログラムに、RAM46又はROM45に記憶されているデータがセットされる。かかるRAM46又はROM45のデータとしては、版サイズ、・・・インキ調整キー数、・・・キー間隔、キーと版のエッジとの距離、・・・印刷有効領域と版のエッジとの距離・・・等である。これにより光電検出器13の使用範囲、・・・インキ調整キーの間隔及び数その他が設定され、・・・別途駆動モータによってローラ21〜33が駆動される。（公報第3頁右上欄下から3行〜左下欄下から5行）
ｃ．以上のようにこの発明の測定装置によれば、刷版工程の処理の違いや刷版の銘柄、ロット、サイズの違いに寄らず絵柄面積の正確な測定を行ない得ると共に、使用印刷機の種類によって異なるインキ調整キー幅及び数に対応した測定を行ない得る。したがって、測定装置は印刷機毎には必要とせず、刷版ラインに1台だけ設置すれば良く、また、刷版からの測定であるから透過原稿（フィルム原稿）などからの測定と異なり、絵柄のレイアウトについての測定データの処理が不用であり、装置は簡易で低価格である。さらに、刷版ラインへのインライン自動測定化も可能であり、測定の作業負荷が小さい。（公報第4頁右上欄第6行〜18行）
　
３．対比・判断
Ａ．本願発明１
　本願発明１を刊行物１記載の発明と対比すると、刊行物１記載の発明の「版胴」、「インキ出しローラ」、「インキ量調整装置」、「印刷部」は、それぞれ本願発明１の「版ローラ」、「インク元ローラ」、「インク供給量調整装置」、「印刷機」に相当し、
　刊行物１記載の発明の「刷版の絵柄面積率を一定幅単位で測定し、その測定した一定幅単位の絵柄面積率データを刷版毎に集計記録し、制御部において、絵柄面積率測定装置から読み取ったデータを印刷部のインキキーの幅単位の絵柄面積率データに変換し、その変換した絵柄面積率データに基づいて印刷部のインキキーの開度を設定する」において、印刷部の制御部は「絵柄面積率測定装置の測定結果に基づいて印刷機のインク供給量調整装置を制御する制御装置」といえるから、両者間には次のような一致点、相違点がある。
（一致点）
　刷版の絵柄面積率を測定する絵柄面積率測定装置と、刷版が装着される版ローラ、刷版の絵柄部分にインクを供給するインク元ローラ、およびインク元ローラの長手方向に区分される各インク帯城のインク供給量を調整するインク供給量調整装置とを備える印刷機と、絵柄面積率測定装置の測定結果に基づいて印刷機のインク供給量調整装置を制御する制御装置とを有してなる印刷システム
（相違点）
（１）絵柄面積率測定装置において、本願発明１が「絵柄面積率測定に必要な刷版に関する測定関連情報が該刷版に付されるべき識別マークとともに予め記録される記憶装置を備え、絵柄面積率測定装置は、刷版に付されている識別マークを読取り、この読取り識別マークに対応する測定関連情報を上記記憶装置から呼出し、これによって呼出された測定関連情報に基づいて該刷版の絵柄面積率を測定し、測定した刷版の絵柄面積率を該刷版に付された識別マークとともに記憶装置に記録」するのに対して、刊行物１記載の発明は「刷版の絵柄面積率を一定幅単位で測定し、その測定した一定幅単位の絵柄面積率データを刷版毎に記録する」点
（２）絵柄面積率測定装置の測定結果に基づいて印刷機のインク供給量調整装置を制御する制御装置において、本願発明１が「印刷機は版ローラに装着される刷版の識別マークを読取るマーク読取装置を備え、制御装置は印刷機のマーク読取装置が読取った刷版の上記識別マークに基づいて該識別マークに対応する刷版の絵柄面積率を記憶装置から読取り、その読取り結果に基づいて印刷機のインク供給量調整装置を制御する」ものであるのに対して、刊行物１記載の発明は「印刷機の制御装置において、絵柄面積率測定装置に対して指定した刷版の絵柄面積率データの伝送を指令し（実施例では入力装置から指令）、その指令に従って絵柄面積率測定装置31から伝送されてくる一定幅単位の絵柄面積率データを受信した後、印刷部のインキキー11１〜11nの幅単位の絵柄面積率データに変換し、その変換した絵柄面積率データに基づいて印刷機のインク供給量調整装置を制御する」点
（相違点の検討）
　相違点（１）を検討する。
ａ．刊行物２記載の発明の刷版W毎に付設された「バーコード」は、刷版を他の刷版と識別するための記号であり、本願発明１の「識別マーク」に相当する。
ｂ．刊行物２記載の発明のバーコードに表された「インキキーの幅データ」は、絵柄面積率測定装置による測定に必要な情報であり、本願発明１の「測定関連情報」に相当する。
ｃ．刊行物２記載の発明において「バーコード」に対応する「インキキーの幅データ」等の情報は、絵柄面積率測定装置の記憶装置に記録されているとみることができる。
ｄ．刊行物２記載の発明において、絵柄面積率測定装置によって測定された絵柄面積率は読み取られたコードデータ毎に記憶装置に記録される。
　以上のことから、刊行物２には「絵柄面積率測定装置は、刷版に付されている識別マークを読取り、この読取り識別マークに対応する測定関連情報を記録装置から呼び出し、呼出された測定関連情報に基づいて該刷版の絵柄面積率を測定するとともに、測定した刷版の絵柄面積率を該刷版に付された識別マークとともに記憶装置に記録」するものが記載されており、刊行物２記載の発明のような絵柄面積率測定装置は、刊行物１記載の発明のような刷版から求められた絵柄面積率データに基づいて印刷部のインキ量を設定する印刷システムに用いられるものであるから、刊行物２記載の絵柄面積率測定装置を刊行物１記載の発明の印刷システムの絵柄面積率測定装置として採用することは、当業者が容易に考えつくことができた構成の変更である。
　ところで、刊行物１記載の発明の印刷システムは上で述べたように絵柄面積率測定装置に刷版ごとに測定関連情報を指定して絵柄面積率測定するタイプではないが、刊行物１には、従来技術として絵柄面積率測定装置に刷版に対応する測定関連情報であるインキキー幅を指定し、それに基づいて絵柄面積率を測定し、その測定結果に基づいて印刷機のインク供給量を自動的に設定するという本願発明１と同様のタイプの絵柄面積率測定装置も上げられており、絵柄面積率測定装置のタイプの違いが、刊行物１記載の発明において刊行物２記載の絵柄面積率測定装置を採用することの阻害要因とはならない。
　相違点（２）に関しては、前述のように当業者が容易に考えつく構成の変更によって刊行物２記載の絵柄面積率測定装置を採用した場合、印刷機に取り付けられるべき刷版には識別マークが付されており、印刷機が呼び出すべき絵柄面積率データは識別マークに対応させて記憶されていることから、刊行物２記載の発明の絵柄面積率測定装置が刷版に付せられた識別マークを読み取って対応する測定関連情報を読み取ったように、印刷機においても識別マーク読み取り装置を設け、その読み取った識別マークに対応する絵柄面積率を記憶装置から読み取るようにすることは当業者が容易に考えつくことができた構成の変更である。
　
Ｂ．本願発明２
　本願発明２を刊行物１記載の発明と対比すると、刊行物１記載の発明の「版胴」、「インキ出しローラ」、「インキ量調整装置」、「印刷部」は、それぞれ本願発明１の「版ローラ」、「インク元ローラ」、「インク供給量調整装置」、「印刷機」に相当し、刊行物１記載の発明の「刷版の絵柄面積率を一定幅単位で測定し、その測定した一定幅単位の絵柄面積率データを刷版毎に集計記録し、制御部において、絵柄面積率測定装置から読み取ったデータを印刷部のインキキーの幅単位の絵柄面積率データに変換し、その変換した絵柄面積率データに基づいて印刷部のインキキーの開度を設定する」において、印刷部の制御部は「絵柄面積率測定装置の測定結果に基づいて印刷機のインク供給量調整装置を制御する制御装置」といえるから、両者間には次のような一致点、相違点がある。
（一致点）
　刷版の絵柄面積率を測定する絵柄面積率測定装置と、刷版が装着される版ローラ、刷版の絵柄部分にインクを供給するインク元ローラ、およびインク元ローラの長手方向に区分される各インク帯城のインク供給量を調整するインク供給量調整装置とを備える印刷機と、絵柄面積率測定装置の測定結果に基づいて印刷機のインク供給量調整装置を制御する制御装置とを有してなる印刷システムにおいて、絵柄面積率測定装置は刷版の絵柄面積率を測定し、測定した刷版の絵柄面積率を該刷版ごとに記憶装置に記録し、制御装置は刷版の絵柄面積率を記憶装置から読取り、その読取り結果に基づいて印刷機のインク供給量調整装置を制御する印刷システム
（相違点）
（１）本願発明２が原画フィルムの画像を焼き付けられた刷版を処理する刷版処理装置を有し、刷版処理装置にて処理された刷版を搬送装置にて刷版処理装置から絵柄面積率測定装置に自動搬送するのに対して、刊行物１にはそもそも刷版処理装置について記載されていない点
（２）絵柄面積率測定装置の測定結果に基づいて印刷機のインク供給量調整装置を制御する制御装置において、本願発明２は「印刷機は版ローラに装着される刷版の識別マークを読取るマーク読取装置を備え、制御装置は印刷機のマーク読取装置が読取った刷版の上記識別マークに基づいて該識別マークに対応する刷版の絵柄面積率を記憶装置から読取り、その読取り結果に基づいて印刷機のインク供給量調整装置を制御する」であるのに対して、刊行物１記載の発明が「制御装置において、絵柄面積率測定装置に対して指定した刷版の絵柄面積率データの伝送を指令し（実施例では入力装置から指令）、その指令に従って絵柄面積率測定装置31から伝送されてくる一定幅単位の絵柄面積率データを受信した後、印刷部のインキキー11１〜11nの幅単位の絵柄面積率データに変換し、その変換した絵柄面積率データに基づいて印刷機のインク供給量調整装置を制御する」点
（相違点の検討）
　相違点（１）に関しては、原画フィルムの画像を焼き付けられた刷版を処理する刷版処理装置は例を上げるまでもなく周知技術であり、刊行物３の第4図に刷版を搬送装置によって絵柄測定装置に搬送しながら測定するものが記載されていること、同じく刊行物３に「刷版ラインへのインライン自動測定化も可能であり」とあることから、それ自体周知の刷版処理装置で処理された刷版を自動的に絵柄面積率測定装置に搬送して測定するように構成することは当業者が容易に考えつくことができた構成の変更である。
　相違点（２）については、本願発明１の相違点（１）及び（２）の検討の項を参照のこと。
　
４．むすび
　以上のことから、本願発明１及び本願発明２は、引用刊行物１乃至３に記載された発明に基づいて、当業者が容易に発明することができたものであるので、特許法第29条第2項の規定により、特許を受けることができない。
　よって、結論のとおり審決する。